(57)【要約】【課題】ゲージ抵抗によって形成された一つのブリッジ回路上からセンサ出力および故障診断出力を検出可能としたダイアフラム型の半導体圧力センサにおいて、両出力において適切にオフセット電圧を調整できるようにする。【解決手段】４個のゲージ抵抗Ｒａ〜Ｒｄは、それぞれ２個に分割された分割ゲージ抵抗Ｒａ１〜Ｒｄ２となっており、分割ゲージ抵抗の間の配線Ｈ２、Ｈ９から引き出され圧力の非印加状態において同電位となる端子Ｂ１、Ｃ１を故障診断出力用端子として用いる。さらに、センサ出力用端子Ｂ、Ｃを、配線Ｈ３、Ｈ８における配線抵抗の異なる部分から引き出された３個の端子Ｂａ〜Ｂｃ、Ｃａ〜Ｃｃから構成し、故障診断出力用端子Ｂ１、Ｃ１のうちの一方の端子Ｂ１を、配線Ｈ２における配線抵抗の異なる部分から引き出された３個の端子Ｂ１ａ〜Ｂ１ｃから構成している。【選択図】　　　　図８
2004061164.tif 000002
【特許請求の範囲】
【請求項１】
力学量の印加によって歪むダイアフラム（１４）を有する半導体基板（１０）と、
この半導体基板の一面側に形成され、前記ダイアフラムの歪みにより発生する応力に基づいて抵抗値が変化する４個のゲージ抵抗（Ｒａ、Ｒｂ、Ｒｃ、Ｒｄ）とを備え、
これら４個のゲージ抵抗によりブリッジ回路（２０）が構成され、このブリッジ回路の２個の中点となる配線（Ｈ３、Ｈ８）からそれぞれ引き出された端子（Ｂ、Ｃ）をセンサ出力用端子として、これらセンサ出力用端子の間の電位差（Ｖｏｕｔ１）をセンサ出力として用いるようにした半導体力学量センサにおいて、
前記４個のゲージ抵抗は、それぞれ複数個に分割された分割ゲージ抵抗（Ｒａ１、Ｒａ２、Ｒｂ１、Ｒｂ２、Ｒｃ１、Ｒｃ２、Ｒｄ１、Ｒｄ２）となっており、
前記複数個の分割ゲージ抵抗における分割された間の配線（Ｈ２、Ｈ４、Ｈ７、Ｈ９）から引き出された端子のうち前記力学量が印加されていない状態において電位が等しい組合せの端子（Ｂ１、Ｃ１）を故障診断出力用端子として、これら故障診断出力用端子の間の電位差（Ｖｏｕｔ２）を、故障診断出力として用いるようにしており、
前記センサ出力用端子（Ｂ、Ｃ）の少なくとも一方は、前記中点となる配線（Ｈ３、Ｈ８）における配線抵抗の異なる部分から引き出された複数の端子（Ｂａ、Ｂｂ、Ｂｃ、Ｃａ、Ｃｂ、Ｃｃ）からなり、
前記故障診断出力用端子（Ｂ１、Ｃ１）の少なくとも一方は、前記複数個の分割ゲージ抵抗における分割された間の配線（Ｈ２）における配線抵抗の異なる部分から引き出された複数の端子（Ｂ１ａ、Ｂ１ｂ、Ｂ１ｃ）からなることを特徴とする半導体力学量センサ。
【請求項２】
前記センサ出力用端子（Ｂ、Ｃ）の少なくとも一方を構成する複数の端子（Ｂａ、Ｂｂ、Ｂｃ、Ｃａ、Ｃｂ、Ｃｃ）、および、前記故障診断出力用端子（Ｂ１、Ｃ１）の少なくとも一方を構成する複数の端子（Ｂ１ａ、Ｂ１ｂ、Ｂ１ｃ）とは、３個以上の端子であることを特徴とする請求項１に記載の半導体力学量センサ。
【発明の詳細な説明】
【０００１】
【発明の属する技術分野】
本発明は、ゲージ抵抗によって形成された一つのブリッジ回路上からセンサ出力および故障診断出力を検出可能としたダイアフラム型の半導体力学量センサに関する。
【０００２】
【従来の技術】
この種のセンサは、圧力や加速度等の力学量の印加によって歪むダイアフラムを有する半導体基板と、この半導体基板の一面側に形成されダイアフラムの歪みにより発生する応力に基づいて抵抗値が変化する複数個のゲージ抵抗とを備え、これらゲージ抵抗により構成された一つのブリッジ回路を利用してセンサ出力と故障診断出力を求め、両出力の比較から故障診断を行っている。
【０００３】
それによれば、センサ出力用、故障診断出力用の二つのブリッジ回路を形成しなくても良く、一つのブリッジ回路によってセンシングと故障診断を行うことができるため、センサの小型化などに有利である。
【０００４】
【発明が解決しようとする課題】
このようなセンサとして、本出願人は先に特願平２００１−２２１６９７号に記載のものを提案している。図９は、このセンサにおけるブリッジ回路の等価回路を示す図である。
【０００５】
このブリッジ回路は、４個のゲージ抵抗Ｒａ、Ｒｂ、Ｒｃ、Ｒｄが互いに直列接続されて４辺形の閉回路を形成してなるホイートストンブリッジで構成されている。なお、図９中、Ｈ１、Ｈ２１、Ｈ２２、……、といった符号の頭にＨが付いたものは各ゲージ抵抗間の配線抵抗を示すものである。
【０００６】
この回路において、相対する中点となる配線Ｈ１、Ｈ３、Ｈ５、Ｈ６、Ｈ８、Ｈ１０から引き出された端子Ａ、Ｂ、Ｃ、Ｄをそれぞれ、入力電圧（入力信号）Ｖｉｎを入力するための入力端子Ａ、Ｄと、センサ出力となる差電圧（出力信号）Ｖｏｕｔ１を発生させるための出力端子Ｂ、Ｃとした構成となっている。ここでは、入力端子Ａが電源側（第１の電位点）、入力端子ＤがＧＮＤ側（第２の電位点）となっている。
【０００７】
また、４個のゲージ抵抗Ｒａ〜Ｒｄはそれぞれ２個の分割ゲージ抵抗に等分割されている。すなわち、入力端子Ａと出力端子Ｂとの間に配置されたゲージ抵抗Ｒａは分割ゲージ抵抗Ｒａ１とＲａ２に、出力端子Ｂと入力端子Ｄとの間に配置されたゲージ抵抗Ｒｂは分割ゲージ抵抗Ｒｂ１とＲｂ２に、入力端子Ａと出力端子Ｃとの間に配置されたゲージ抵抗Ｒｃは分割ゲージ抵抗Ｒｃ１とＲｃ２に、出力端子Ｃと入力端子Ｄとの間に配置されたゲージ抵抗Ｒｄは分割ゲージ抵抗Ｒｄ１とＲｄ２に、それぞれ分割されている。
【０００８】
また、各分割ゲージ抵抗における分割された間の配線Ｈ２、Ｈ４、Ｈ７、Ｈ９から引き出された端子（以下、中間端子という）としては、抵抗Ｒａ１とＲａ２の中間端子、抵抗Ｒｂ１とＲｂ２の中間端子Ｂ１、抵抗Ｒｃ１とＲｃ２の中間端子及び抵抗Ｒｄ１とＲｄ２の中間端子Ｃ１がある。
【０００９】
ここで、各中間端子のうち力学量が印加されていない状態において電位が等しくなる組み合わせの端子として、ゲージ抵抗Ｒｄにおける中間端子Ｃ１とゲージ抵抗Ｒｂにおける中間端子Ｂ１との組合せを選び、これら中間端子Ｂ１、Ｃ１を故障診断出力用端子としている。そして、これら端子Ｂ１、Ｃ１の間の電位差Ｖｏｕｔ２を故障診断出力として用いている。
【００１０】
このようなセンサのブリッジ回路に基づく検出動作は次のようである。入力信号Ｖｉｎがブリッジ回路に入力された状態で、ダイアフラムが力学量を受けて歪んだときに、４個のゲージ抵抗Ｒａ〜Ｒｄのバランスが崩れる。すると、印加された力学量の大きさに応じて差電圧（出力信号）Ｖｏｕｔ１が変動するため、このＶｏｕｔ１を外部回路に取り出すことでセンサ出力が求められ、当該力学量を検出することができる。
【００１１】
また、故障検出については、センサ出力用端子となる出力端子Ｂ−Ｃ間の差電圧Ｖｏｕｔ１と、故障診断出力用端子となる中間端子Ｂ１−Ｃ１間の差電圧Ｖｏｕｔ２とを比較することで検出可能となる。例えば、各分割ゲージ抵抗の抵抗値が同一である場合、Ｒｄ１とＲｄ２との比、Ｒｂ１とＲｂ２との比は各々１：１となるため、正常時では、センサ出力となる差電圧Ｖｏｕｔ１に対し、故障診断出力となる差電圧Ｖｏｕｔ２は常に１／２となる。
【００１２】
しかし、ダイアフラムに不均一な応力が加わったり、抵抗の断線が生じたりするなどの異常時には、Ｒｄ１とＲｄ２との比、あるいはＲｂ１とＲｂ２との比が１：１でなくなり、センサ出力に対する故障診断出力は１／２ではなくなる。つまり、両出力の大きさの関係が崩れるため、センサの異常を判断することができる。
【００１３】
ところで、上記ブリッジ回路においては、センサ出力となる差電圧Ｖｏｕｔ１と故障診断出力となる差電圧Ｖｏｕｔ２との双方の出力に、オフセット電圧が存在する。オフセット電圧とは、ダイアフラムに力学量が印加されていない状態で上記両出力に発生する電圧であり、誤差要因となるものである。
【００１４】
ブリッジ回路における各分割ゲージ抵抗Ｒａ１〜Ｒｄ２の間を接続する配線Ｈ１、Ｈ２１、……、Ｈ１０の配線抵抗がゼロあるいは同一であれば、各分割ゲージ抵抗のパターンや配置で抵抗値が決まり、さらに、この各分割ゲージ抵抗の抵抗値が全て同一であればオフセット電圧は、センサ出力と故障診断出力とでゼロとなる。
【００１５】
しかし、実際には、上記図９に示したように、各分割ゲージ抵抗Ｒａ１〜Ｒｄ２および各端子Ａ、Ｂ、Ｃ、Ｄ、Ｂ１、Ｃ１の間に、配線抵抗（Ｈ１など）が存在する。そして、これら配線抵抗が互いに同一であれば、オフセット電圧はゼロとできるが、配線パターンのレイアウトなどの面から、配線抵抗を同一にすることは困難である。
【００１６】
この場合、通常、外付けの抵抗をブリッジ抵抗に接続し、トリミング調整などを行ってオフセット電圧が所望の値になるように外付け抵抗の抵抗値を調整することが考えられる。しかし、外付け抵抗の付加によりセンサ出力と故障診断出力の二つの出力におけるオフセット電圧を調整することは困難である。このことについて、具体的に説明する。
【００１７】
図１０は、上記図９のブリッジ回路において外付け抵抗を付加した場合を示す等価回路図である。例えば、故障診断出力となる端子Ｂ１−Ｃ１間の出力Ｖｏｕｔ２におけるオフセット電圧が０であり、センサ出力となる端子Ｂ−Ｃ間の出力Ｖｏｕｔ１におけるオフセット電圧が０でなく或る値で発生しているとする。
【００１８】
このとき、センサ出力用端子Ｂ、Ｃ間の出力Ｖｏｕｔ１におけるオフセット電圧を０とするために、図１０に示すように、当該ブリッジ回路におけるＧＮＤ側に外付け抵抗Ｒｇ１、Ｒｇ２を設定する。この場合、端子Ａ−Ｄ間に流れる電流値が変わるため、端子Ｃを基準としたとき端子Ｂの電位が変化し、出力Ｖｏｕｔ１におけるオフセット電圧を０に調整することが可能となる。
【００１９】
しかし、外付け抵抗Ｒｇ１、Ｒｇ２を設定することで端子Ａ−Ｄ間に流れる電流値が変わるということは、同時に、故障診断出力用端子Ｃ１を基準としたときに故障診断出力用端子Ｂ１の電位も変化することになる。そのため、故障診断出力となる端子Ｂ１−Ｃ１間の出力Ｖｏｕｔ２においてオフセット電圧が０でなくなってしまう。
【００２０】
このことは、図１０に示すように、ブリッジ回路における高電位側に外付け抵抗Ｒｖ１、Ｒｖ２を設定した場合も同様である。いずれにせよ、一つのブリッジ回路においてセンサ出力および故障診断出力のいずれか一方ならともかく、外付け抵抗によって、二つの出力におけるオフセット電圧を適切に調整して０に近づけることはできない。
【００２１】
そこで本発明は上記問題に鑑み、ゲージ抵抗によって形成された一つのブリッジ回路上からセンサ出力および故障診断出力を検出可能としたダイアフラム型の半導体力学量センサにおいて、センサ出力および故障診断出力のそれぞれにおいて適切にオフセット電圧を０に近づくように調整できるようにすることを目的とする。
【００２２】
【課題を解決するための手段】
上記目的を達成するため、請求項１に記載の発明では、力学量の印加によって歪むダイアフラム（１４）を有する半導体基板（１０）と、この半導体基板の一面側に形成され、ダイアフラムの歪みにより発生する応力に基づいて抵抗値が変化する４個のゲージ抵抗（Ｒａ、Ｒｂ、Ｒｃ、Ｒｄ）とを備え、これら４個のゲージ抵抗によりブリッジ回路（２０）が構成され、このブリッジ回路の２個の中点となる配線（Ｈ３、Ｈ８）からそれぞれ引き出された端子（Ｂ、Ｃ）をセンサ出力用端子として、これらセンサ出力用端子の間の電位差（Ｖｏｕｔ１）をセンサ出力として用いるようにした半導体力学量センサにおいて、次のような特徴を有する。
【００２３】
すなわち、４個のゲージ抵抗は、それぞれ複数個に分割された分割ゲージ抵抗（Ｒａ１、Ｒａ２、Ｒｂ１、Ｒｂ２、Ｒｃ１、Ｒｃ２、Ｒｄ１、Ｒｄ２）となっており、複数個の分割ゲージ抵抗における分割された間の配線（Ｈ２、Ｈ４、Ｈ７、Ｈ９）から引き出された端子のうち力学量が印加されていない状態において電位が等しい組合せの端子（Ｂ１、Ｃ１）を故障診断出力用端子として、これら故障診断出力用端子の間の電位差（Ｖｏｕｔ２）を、故障診断出力として用いるようにしている。
【００２４】
さらに、センサ出力用端子（Ｂ、Ｃ）の少なくとも一方を、中点となる配線（Ｈ３、Ｈ８）における配線抵抗の異なる部分から引き出された複数の端子（Ｂａ、Ｂｂ、Ｂｃ、Ｃａ、Ｃｂ、Ｃｃ）からなるものとし、故障診断出力用端子（Ｂ１、Ｃ１）の少なくとも一方を、複数個の分割ゲージ抵抗における分割された間の配線（Ｈ２）における配線抵抗の異なる部分から引き出された複数の端子（Ｂ１ａ、Ｂ１ｂ、Ｂ１ｃ）からなるものとしている。
【００２５】
このような特徴を備えた本発明の半導体力学量センサによれば、センサ出力用端子、故障診断出力用端子のそれぞれにおいて複数個の端子の組合せを選択することができる。そして、これら複数個の端子の組合せのうちオフセット電圧が最も０に近づくような組合せを、センサ出力、故障診断出力のそれぞれにおいて互いの出力に影響することなく選択することができる。
【００２６】
そのため、本発明によれば、センサ出力、故障診断出力のそれぞれにおいて適切にオフセット電圧を０に近づくように調整することができる。
【００２７】
ここで、請求項２に記載の発明のように、センサ出力用端子（Ｂ、Ｃ）の少なくとも一方を構成する複数の端子（Ｂａ、Ｂｂ、Ｂｃ、Ｃａ、Ｃｂ、Ｃｃ）、および、故障診断出力用端子（Ｂ１、Ｃ１）の少なくとも一方を構成する複数の端子（Ｂ１ａ、Ｂ１ｂ、Ｂ１ｃ）とは、３個以上の端子であることが好ましい。それにより、オフセット電圧の０点を見出すのが容易となる。
【００２８】
なお、上記各手段の括弧内の符号は、後述する実施形態に記載の具体的手段との対応関係を示す一例である。
【００２９】
【発明の実施の形態】
以下、本発明を図に示す実施形態について説明する。本実施形態は、本発明の半導体力学量センサを半導体圧力センサに具体化したものとして説明する。
【００３０】
図１は、本実施形態に係る半導体圧力センサＳ１の概略平面図、図２は図１に示すセンサＳ１の概略断面図である。この半導体圧力センサＳ１は、周知の半導体製造技術を用いて製造することができる。
【００３１】
１０はシリコン等の半導体よりなる半導体基板であり、本例では、主表面である一面１１の面方位が（１１０）面であるシリコン単結晶基板を用いている。図１の平面図は、この（１１０）面が示されており、一点鎖線にて示すＸ軸（第１の軸）、Ｙ軸（第２の軸）はそれぞれ、（００１）結晶軸、（１１０）結晶軸である。
【００３２】
図２に示すように、半導体基板１０には、その他面１２側からエッチング等により凹部１３を形成することにより、薄肉部としてのダイアフラム（図１では破線にて図示）１４が形成されている。
【００３３】
このダイアフラム１４は、半導体基板１０の一面１１側または他面１２側から圧力が印加されることにより、歪み可能なものである。本例ではダイアフラム１４は平面が略正方形であり、厚さは加工上の誤差範囲を許容しつつ略均一なものである。
【００３４】
半導体基板１０の一面１１側には、ダイアフラム１４の歪み応力に基づいて抵抗値が変化する歪みゲージとしての４個のゲージ抵抗Ｒａ、Ｒｂ、Ｒｃ、Ｒｄが、イオン注入や拡散等の手法により形成されている。
【００３５】
これら４個のゲージ抵抗Ｒａ〜Ｒｄは、感度の良い（１１０）結晶軸（Ｙ軸）を利用して後述するブリッジ回路２０（後述の図８参照）を構成するために、ダイアフラム１４の中心（図１中のＸ軸とＹ軸の交点）近傍に配置された２個のゲージ抵抗（中央部ゲージ抵抗）Ｒａ、Ｒｄと、これら中央部ゲージ抵抗Ｒａ、Ｒｄよりもダイアフラム１４の外周端部近傍に配置された２個のゲージ抵抗（端部ゲージ抵抗）Ｒｂ、Ｒｃとよりなる。
【００３６】
中央部ゲージ抵抗Ｒａ、Ｒｄは、ダイアフラム１４の外周端部よりも中心寄りの部位に位置しており、端部ゲージ抵抗Ｒｂ、Ｒｃは、中央部ゲージ抵抗Ｒａ、Ｒｄよりもダイアフラム１４の中心から離れ外周端部寄りに位置する。本例では、端部ゲージ抵抗Ｒｂ、Ｒｃは、ダイアフラム１４の外周端部の外側に位置する。
【００３７】
そして、中央部ゲージ抵抗Ｒａ、Ｒｄと端部ゲージ抵抗Ｒｂ、Ｒｃとでは、圧力が印加されたときのダイアフラム１４の応力（引っ張り応力と圧縮応力）の方向が反対であるため、抵抗値変化の方向も反対となるものである。
【００３８】
４個のゲージ抵抗Ｒａ〜Ｒｄの各々は折り返し形状をなしており、さらに、それぞれが２分割されて分割ゲージ抵抗Ｒａ１、Ｒａ２、Ｒｂ１、Ｒｂ２、Ｒｃ１、Ｒｃ２、Ｒｄ１、Ｒｄ２となっている。本例では、これら８個の分割ゲージ抵抗Ｒａ１〜Ｒｄ２は同一の抵抗値となっている。
【００３９】
また、半導体基板１０の一面１１側には、各分割ゲージ抵抗Ｒａ１〜Ｒｄ２の間を直列に接続して上記ブリッジ回路２０を構成するための配線Ｈ１〜Ｈ１０が形成されている。この各分割ゲージ抵抗の間の配線Ｈ１〜Ｈ１０をゲージ配線ということとする。なお、このゲージ配線Ｈ１〜Ｈ１０は、図１では、識別のため斜線ハッチングを施してある。
【００４０】
また、各ゲージ配線Ｈ１〜Ｈ１０には、直接若しくは引き出し配線１５を介して、アルミなどからなるパッド１６が導通されている。パッド１６は上記ブリッジ回路２０の入力端子や出力端子となるものであり、図示しない外部回路とボンディングワイヤなどにより電気的に接続される。
【００４１】
これら分割ゲージ抵抗、ゲージ配線Ｈ１〜Ｈ１０および引き出し配線１５は、イオン注入や拡散等により形成されている。また、上記各配線とパッド１６との導通は、半導体プロセスにより形成されるコンタクトホールとしてのコンタクト部１７を介して行われている。なお、コンタクト部１７は、図１中、四角の中にクロス印を入れた図形で示してある。
【００４２】
［ゲージ配線付近の詳細構成］
ここで、ゲージ配線およびその周辺のパッド１６などについて、図３〜図７を参照してさらに詳細に述べる。図３は図１中の中央部周辺部分の拡大図であり、ダイアフラム１４は省略してある。
【００４３】
また、図４は分割ゲージ抵抗Ｒａ２とＲｂ１との間のゲージ配線Ｈ３付近、図５は分割ゲージ抵抗Ｒｂ１とＲｂ２との間のゲージ配線Ｈ２付近、図６は分割ゲージ抵抗Ｒｃ２とＲｄ１との間のゲージ配線Ｈ８付近、図７は分割ゲージ抵抗Ｒｃ１とＲｃ２との間のゲージ配線Ｈ７付近の拡大図である。
【００４４】
本実施形態では、大きくは４個のゲージ抵抗Ｒａ〜Ｒｄにて上記ブリッジ回路が構成されており、ゲージ配線Ｈ１〜Ｈ１０は、当該ブリッジ回路の中点となる配線Ｈ１、Ｈ３、Ｈ５、Ｈ６、Ｈ８、Ｈ１０と、４個のゲージ抵抗の各々をさらに分割してできた分割ゲージ抵抗における分割された間の配線Ｈ２、Ｈ４、Ｈ７、Ｈ９とからなる。
【００４５】
図３に示すように、ゲージ配線Ｈ５およびＨ６については、それぞれ直接パッド１６（Ａ）が形成されており、ゲージ配線Ｈ１およびＨ１０についても、それぞれ直接パッド１６（Ｄ）が形成されている。ここで、後述するように、パッド１６（Ａ）、１６（Ｄ）はブリッジ回路２０における入力端子である。
【００４６】
また、図３に示すように、ゲージ配線Ｈ４およびＨ９においては、１個の引き出し配線１５が引き出されており、この引き出し配線１５を介してそれぞれパッド１６（Ｃ１’）、１６（Ｃ１）が接続されている。ここで、後述するように、パッド１６（Ｃ１’）、１６（Ｃ１）はブリッジ回路２０における故障診断出力用端子である。
【００４７】
そして、図３に示すように、ゲージ配線Ｈ４およびＨ９は、図３中、一点鎖線（Ｘ軸と一致している）で示す引き出し配線１５の中心軸を境界として、それぞれ２個の分割配線部Ｈ４１およびＨ４２、Ｈ９１およびＨ９２に分割された形となっている。
【００４８】
図４に示すゲージ配線Ｈ３おいては、配線抵抗の異なる部分から３個の引き出し配線１５が引き出されており、各引き出し配線１５に対してパッド１６（Ｂａ）、１６（Ｂｂ）、１６（Ｂｃ）が設けられている。なお、これら３つのパッド１６（Ｂａ）、１６（Ｂｂ）、１６（Ｂｃ）は、まとめてセンサ出力用端子の一つ、すなわちパッド１６（Ｂ）として構成されており、上記図３では符号１６（Ｂ）として示されている。
【００４９】
そして、図４に示すように、これら３個のパッド１６（Ｂ）に対応して、当該ゲージ配線Ｈ３は４個の分割配線部Ｈ３１、Ｈ３２、Ｈ３３、Ｈ３４に分割された形となっている。これら４個の分割配線部Ｈ３１〜Ｈ３４の境界は、図４中、一点鎖線で示す各引き出し配線１５の中心軸にて区画される。
【００５０】
図５に示すゲージ配線Ｈ２おいては、配線抵抗の異なる部分から３個の引き出し配線１５が引き出されており、各引き出し配線１５に対してパッド１６（Ｂ１ａ）、１６（Ｂ１ｂ）、１６（Ｂ１ｃ）が設けられている。なお、これら３つのパッド１６（Ｂ１ａ）、１６（Ｂ１ｂ）、１６（Ｂ１ｃ）は、まとめて故障診断出力用端子の一つ、すなわちパッド１６（Ｂ１）として構成されており、上記図３では符号１６（Ｂ１）として示されている。
【００５１】
そして、図５に示すように、これら３個のパッド１６（Ｂ１）に対応して、当該ゲージ配線Ｈ２は２個の分割配線部Ｈ２１、Ｈ２２に分割された形となっている。これら２個の分割配線部Ｈ２１、Ｈ２２の境界は、図５中、一点鎖線で示す各引き出し配線１５の中心軸にて区画される。
【００５２】
図６に示すゲージ配線Ｈ８おいては、配線抵抗の異なる部分から３個の引き出し配線１５が引き出されており、各引き出し配線１５に対してパッド１６（Ｃａ）、１６（Ｃｂ）、１６（Ｃｃ）が設けられている。なお、これら３つのパッド１６（Ｃａ）、１６（Ｃｂ）、１６（Ｃｃ）は、まとめてセンサ出力用端子の一つ、すなわちパッド１６（Ｃ）として構成されており、上記図３では符号１６（Ｃ）として示されている。
【００５３】
そして、図６に示すように、これら３個のパッド１６（Ｃ）に対応して、当該ゲージ配線Ｈ８は４個の分割配線部Ｈ８１、Ｈ８２、Ｈ８３、Ｈ８４に分割された形となっている。これら４個の分割配線部Ｈ８１〜Ｈ８４の境界は、図６中、一点鎖線で示す各引き出し配線１５の中心軸にて区画される。
【００５４】
図７に示すゲージ配線Ｈ７おいては、配線抵抗の異なる部分から３個の引き出し配線１５が引き出されており、各引き出し配線１５に対してパッド１６（Ｂ１ａ’）、１６（Ｂ１ｂ’）、１６（Ｂ１ｃ’）が設けられている。なお、これら３つのパッド１６（Ｂ１ａ’）、１６（Ｂ１ｂ’）、１６（Ｂ１ｃ’）は、まとめて故障診断出力用端子の一つ、すなわちパッド１６（Ｂ１’）として構成されており、上記図３では符号１６（Ｂ１’）として示されている。
【００５５】
そして、図７に示すように、これら３個のパッド１６（Ｂ１’）に対応して、当該ゲージ配線Ｈ７は２個の分割配線部Ｈ７１、Ｈ７２に分割された形となっている。これら２個の分割配線部Ｈ７１、Ｈ７２の境界は、図７中、一点鎖線で示す各引き出し配線１５の中心軸にて区画される。
【００５６】
［ブリッジ回路の詳細構成］
このようなブリッジ回路２０について、図８に示す等価回路図を参照してさらに詳細に述べる。図８は、上記４個のゲージ抵抗Ｒａ〜Ｒｄ（８個の分割ゲージ抵抗）により構成された上記ブリッジ回路２０においてゲージ配線の配線抵抗を含んだ構成を示す等価回路図である。
【００５７】
このブリッジ回路２０は、大きくは４つのゲージ抵抗Ｒａ（Ｒａ１とＲａ２）、Ｒｂ（Ｒｂ１とＲｂ２）、Ｒｃ（Ｒｃ１とＲｃ２）、Ｒｄ（Ｒｄ１とＲｄ２）を有し、これらゲージ抵抗Ｒａ〜Ｒｄが互いに直列接続されて４辺形の閉回路を形成してなるホイートストンブリッジで構成されている。
【００５８】
なお、上述したように、図８に示す各端子Ａ、Ｂ、Ｃ、Ｄ、Ｂ１、Ｃ１、に対応するパッド１６には、上記図３〜図７中、符号１６の後に括弧付きで、１６（Ａ）、１６（Ｂ１）、……、というように示してある。
【００５９】
ここで、上記図３に示すように、入力端子であるパッド１６（Ａ）および１６（Ｄ）は２個あるが、これら入力端子である２個のパッドは共通の配線にて電気的に接続され、上記外部回路へ接続されるようになっている。一方、出力端子であるパッド１６（Ｂ）、１６（Ｂ１）、１６（Ｂ１’）はそれぞれ３個あるが、これらは３個の内の１個から選択されたものが、上記外部回路へ接続されるようになっている。
【００６０】
図８に示すブリッジ回路２０において相対する中点を構成する配線Ｈ１、Ｈ３、Ｈ５、Ｈ６、Ｈ８、Ｈ１０から引き出された端子Ａ、Ｂ、Ｃ、Ｄを、本例ではそれぞれ、入力電圧（入力信号）Ｖｉｎを入力するための入力端子Ａ、Ｄと、センサ出力となる差電圧（出力信号）Ｖｏｕｔ１を発生させるための出力端子Ｂ、Ｃとした構成としている。ここでは、入力端子Ａが電源側（第１の電位点）、入力端子ＤがＧＮＤ側（第２の電位点）としている。
【００６１】
このブリッジ回路２０において、上述したように、各ゲージ抵抗Ｒａ〜Ｒｄはそれぞれ２個の分割ゲージ抵抗に等分割されている。すなわち、入力端子Ａと出力端子Ｂとの間に配置されたゲージ抵抗Ｒａは分割ゲージ抵抗Ｒａ１とＲａ２に、出力端子Ｂと入力端子Ｄとの間に配置されたゲージ抵抗Ｒｂは分割ゲージ抵抗Ｒｂ１とＲｂ２に、入力端子Ａと出力端子Ｃとの間に配置されたゲージ抵抗Ｒｃは分割ゲージ抵抗Ｒｃ１とＲｃ２に、出力端子Ｃと入力端子Ｄとの間に配置されたゲージ抵抗Ｒｄは分割ゲージ抵抗Ｒｄ１とＲｄ２に、それぞれ分割されている。
【００６２】
また、上述したが、中央部ゲージ抵抗Ｒａ、Ｒｄにおける各分割ゲージ抵抗Ｒａ１、Ｒａ２、Ｒｄ１、Ｒｄ２と、端部ゲージ抵抗Ｒｂ、Ｒｃにおける分割ゲージ抵抗Ｒｂ１、Ｒｂ２、Ｒｃ１、Ｒｃ２とは、抵抗値変化の方向が互いに反対方向となっている。
【００６３】
また、図８からわかるように、各分割ゲージ抵抗における分割された間の配線Ｈ２、Ｈ４、Ｈ７、Ｈ９から引き出された中間端子としては、抵抗Ｒａ１とＲａ２の中間端子Ｃ１’、抵抗Ｒｂ１とＲｂ２の中間端子Ｂ１、抵抗Ｒｃ１とＲｃ２の中間端子Ｂ１’及び抵抗Ｒｄ１とＲｄ２の中間端子Ｃ１がある。
【００６４】
本例では、図８に示すように、各中間端子のうちの任意の２個を組み合せた場合、圧力が印加されていない状態において電位が等しくなる組み合わせとして、ゲージ抵抗Ｒｄにおける中間端子Ｃ１とゲージ抵抗Ｒｂにおける中間端子Ｂ１との組合せを選び、これら中間端子Ｂ１、Ｃ１を故障診断出力用端子としている。そして、これら端子Ｂ１、Ｃ１の間の電位差Ｖｏｕｔ２を故障診断出力として用いている。
【００６５】
具体的には、中間端子Ｂ１の電位と中間端子Ｃ１の電位との差電圧Ｖｏｕｔ２が、上記外部回路に設けられたアンプ（増幅回路）によって増幅され、このアンプの出力電位が故障診断用（検査用）出力として用いられている。
【００６６】
［本実施形態の主特徴点］
以上、上記図３〜図８を参照して述べてきた本実施形態の主特徴点をまとめておく。
【００６７】
まず、４個のゲージ抵抗Ｒａ〜Ｒｄにより構成されたブリッジ回路２０の２個の中点となる配線Ｈ３、Ｈ８からそれぞれ引き出された端子Ｂ（すなわちパッド１６（Ｂ））および端子Ｃ（すなわちパッド１６（Ｃ））をセンサ出力用端子として、これらセンサ出力用端子Ｂ、Ｃの間の電位差Ｖｏｕｔ１をセンサ出力として用いる。
【００６８】
また、４個のゲージ抵抗Ｒａ〜Ｒｄは、それぞれ複数個に分割された分割ゲージ抵抗Ｒａ１、Ｒａ２、Ｒｂ１、Ｒｂ２、Ｒｃ１、Ｒｃ２、Ｒｄ１、Ｒｄ２となっている。
【００６９】
これら分割ゲージ抵抗における分割された間の配線Ｈ２、Ｈ４、Ｈ７、Ｈ９から引き出された中間端子のうち圧力が印加されていない状態において電位が等しい組合せの端子Ｂ１（すなわちパッド１６（Ｂ１））および端子Ｃ１（すなわちパッド１６（Ｃ１））を故障診断出力用端子として、これら故障診断出力用端子Ｂ１、Ｃ１の間の電位差Ｖｏｕｔ２を故障診断出力として用いるようにしている。
【００７０】
さらに、センサ出力用端子Ｂ、Ｃを、中点となる配線Ｈ３、Ｈ８における配線抵抗の異なる部分から引き出された複数（本例では３個）の端子Ｂａ、Ｂｂ、Ｂｃ、Ｃａ、Ｃｂ、Ｃｃからなるものとしている。
【００７１】
また、故障診断出力用端子Ｂ１、Ｃ１の一方の端子Ｂ１を、分割ゲージ抵抗における分割された間のゲージ配線Ｈ２における配線抵抗の異なる部分から引き出された複数（本例では３個）の端子Ｂ１ａ、Ｂ１ｂ、Ｂ１ｃからなるものとしている。
【００７２】
［検出動作］
次に、上記図８に基づき本センサＳ１の検出動作について述べる。上述したように、本センサＳ１では、１個の入力信号Ｖｉｎに対し、出力電圧Ｖｏｕｔ１、Ｖｏｕｔ２を２系統持っており、センサ出力用端子Ｂ、Ｃと、それを監視する故障診断出力用端子Ｂ１、Ｃ１との２系統の出力端子が存在する。
【００７３】
入力信号Ｖｉｎがブリッジ回路２０に入力された状態で、ダイアフラム１４が圧力を受けて歪んだときに、４個のゲージ抵抗Ｒａ〜Ｒｄのバランスが崩れ、印加圧力の大きさに応じて差電圧（出力信号）Ｖｏｕｔ１が変動する。そのため、このＶｏｕｔ１を外部回路に取り出すことでセンサ出力は求められ、圧力を検出することができる。
【００７４】
また、故障検出については、センサ出力用端子Ｂ−Ｃ間の差電圧Ｖｏｕｔ１と、故障診断出力用端子Ｂ１−Ｃ１間の差電圧Ｖｏｕｔ２とを比較することで検出可能となる。
【００７５】
本例では、各分割ゲージ抵抗の抵抗値は同一であり、Ｒｄ１とＲｄ２との比、Ｒｂ１とＲｂ２との比は各々１：１となるため、正常時では、センサ出力となる差電圧Ｖｏｕｔ１に対し、故障診断出力となる差電圧Ｖｏｕｔ２は常に１／２となる。
【００７６】
しかし、ダイアフラム１４に不均一な応力が加わったり、抵抗の断線が生じたりなどの異常時には、Ｒｄ１とＲｄ２との比、あるいはＲｂ１とＲｂ２との比が１：１でなくなり、センサ出力に対する故障診断出力は１／２ではなくなる。つまり、上記のようなＶｏｕｔ２とＶｏｕｔ１との関係が崩れる。こうして、センサＳ１の異常を判断することができる。
【００７７】
ちなみに、もし、故障診断出力Ｖｏｕｔ２が無く、センサ出力Ｖｏｕｔ１のみであると、例えばセンサ出力Ｖｏｕｔ１が０になった場合、ダイアフラムの破損か、ゲージ抵抗の異常か、外部回路の故障か、あるいは実際に圧力が０なのか、判断できない。
【００７８】
それに対して、例えば、センサ出力Ｖｏｕｔ１が０になった場合でも、故障診断出力Ｖｏｕｔ２が正常であれば、圧力が０ではないし、外部回路の故障でもなく、ダイアフラムまたはゲージ抵抗の異常であるとわかる。また、故障診断出力Ｖｏｕｔ２も０であれば、外部回路の故障または実際に圧力が０であるとわかる。
【００７９】
このように、本実施形態によれば、センシング用のブリッジ回路２０を構成する４個のゲージ抵抗Ｒａ〜Ｒｄを、それぞれ２つの分割ゲージ抵抗Ｒａ１〜Ｒｄ２に分割し、８個の分割ゲージ抵抗Ｒａ１〜Ｒｄ２の中間端子のうち圧力が印加されていない状態において電位が等しい組合せの中間端子Ｂ１、Ｃ１における電位差Ｖｏｕｔ２を故障診断出力として用いることにより、１つのブリッジ回路によりセンシングと故障診断とを行うことができる。
【００８０】
［オフセット電圧の調整］
ところで、上記ブリッジ回路２０においては、センサ出力となる差電圧Ｖｏｕｔ１と故障診断出力となる差電圧Ｖｏｕｔ２との双方の出力に、オフセット電圧が存在する。
【００８１】
上述したように、オフセット電圧とは、ダイアフラム１４に圧力が印加されていない状態で、上記両出力に発生する電圧であり、誤差要因となるものである。ブリッジ回路２０における各分割ゲージ抵抗Ｒａ１〜Ｒｄ２の間を接続する配線の配線抵抗がゼロあるいは同一であれば、オフセット電圧は発生せず、理想的であるが、実際には、配線抵抗が存在する。
【００８２】
その点、本実施形態では、センサ出力用端子Ｂ、Ｃを、上記した複数（本例では３個）の端子Ｂａ、Ｂｂ、Ｂｃ、Ｃａ、Ｃｂ、Ｃｃからなるものとし、故障診断出力用端子Ｂ１、Ｃ１の一方の端子Ｂ１を、上記した複数（本例では３個）の端子Ｂ１ａ、Ｂ１ｂ、Ｂ１ｃからなるものとしているため、センサ出力用端子、故障診断出力用端子のそれぞれにおいて複数個の端子の組合せを選択することができる。
【００８３】
そして、これら複数個の端子の組合せのうちオフセット電圧が最も０に近づくような組合せを、センサ出力、故障診断出力のそれぞれにおいて互いの出力に影響することなく選択すれば、それぞれの出力において適切にオフセット電圧を０に近づくように調整することができる。
【００８４】
このことについて具体的に述べる。例えば、故障診断出力となる端子Ｂ１−Ｃ１間の出力Ｖｏｕｔ２におけるオフセット電圧が０であり、センサ出力となる端子Ｂ−Ｃ間の出力Ｖｏｕｔ１におけるオフセット電圧が０でなく或る値で発生しているとする。また、センサ出力用端子ＢｂとＣｂが選択されているとする。
【００８５】
このとき、センサ出力用端子Ｃ（Ｃａ、Ｃｂ、Ｃｃ）側はＣｂのまま固定し、センサ出力用端子Ｂ側において端子をＢｂからＢａまたはＢｃに変更することで、センサ出力のオフセット電圧を調整することを考える。
【００８６】
これは、センサ出力用端子Ｂに関わる図４を参照すると、具体的には、パッド１６（Ｂ）側においてパッド１６（Ｂｂ）から１６（Ｂａ）または１６（Ｂｃ）に変更することである。ここで、図４中には、４個の分割配線部Ｈ３１〜Ｈ３４の配線長Ｌ１、Ｌ２、Ｌ３、Ｌ４および配線幅Ｗ１が示されている。また、配線のシート抵抗をρｓとする。
【００８７】
センサ出力用端子Ｂ側において端子をＢｂからＢａに変更した場合、変更前の端子Ｂｂでの出力に対し、変更後の端子Ｂａでの出力は、ρｓ・（Ｌ２／Ｗ１）の分だけ電圧が上昇した出力となる。一方、センサ出力用端子Ｂ側において端子をＢｂからＢｃに変更した場合、変更前の端子Ｂｂでの出力に対し、変更後の端子Ｂｃでの出力は、ρｓ・（Ｌ３／Ｗ１）の分だけ電圧が降下した出力となる。
【００８８】
このように、センサ出力におけるオフセット電圧を調整するために、センサ出力用端子Ｂ側において端子をＢｂからＢａまたはＢｃに変更すれば、例えば、当該オフセット電圧は、ρｓ・（Ｌ２／Ｗ１）またはρｓ・（Ｌ３／Ｗ１）の電圧分変化することとなる。
【００８９】
そして、このようにセンサ出力用端子Ｂにおいて、端子の変更を行っても、入力端子Ａ−Ｄ間の全抵抗は変わらないため、当該Ａ−Ｄ間に流れる電流値も変化しない。そのため、このセンサ出力用端子Ｂにおける端子変更の影響は、故障診断出力用端子（中間端子）Ｂ１の電位には及ばず、当該Ｂ１の電位は変化しない。
【００９０】
このことは、センサ出力用端子Ｃ側において、選択される端子を変更しても同様である。そのため、センサ出力用端子Ｂ、Ｃの組合せを適宜選択すれば、センサ出力におけるオフセット電圧を、所望の値に調整でき極力０に近づけることも可能である。
【００９１】
このようなセンサ出力におけるオフセット調整と同様のことが、故障診断出力のオフセット調整についても言える。例えば、センサ出力となる端子Ｂ−Ｃ間の出力Ｖｏｕｔ１におけるオフセット電圧が０であり、故障診断出力となる端子Ｂ１−Ｃ１間の出力Ｖｏｕｔ２におけるオフセット電圧が０でなく或る値で発生しているとする。
【００９２】
また、故障診断出力用端子Ｂ１ｂとＣ１が選択されているとし、このとき、故障診断出力用端子Ｂ１において端子をＢ１ｂからＢ１ａまたはＢ１ｃに変更することで故障診断出力のオフセット電圧を調整することを考える。
【００９３】
これは、故障診断出力用端子Ｂ１に関わる図５を参照すると、具体的には、パッド１６（Ｂ１）においてパッド１６（Ｂ１ｂ）から１６（Ｂ１ａ）または１６（Ｂ１ｃ）に変更することである。ここで、図５中には、２個の分割配線部Ｈ２１、Ｈ２２の配線長Ｌ５、Ｌ６および配線幅Ｗ２が示されている。また、配線のシート抵抗をρｓとする。
【００９４】
故障診断出力用端子Ｂ１において端子をＢ１ｂからＢ１ａに変更した場合、変更前の端子Ｂ１ｂでの出力に対し、変更後の端子Ｂ１ａでの出力は、ρｓ・（Ｌ５／Ｗ２）の分だけ電圧が上昇した出力となる。一方、端子をＢ１ｂからＢ１ｃに変更した場合、変更前の端子Ｂ１ｂでの出力に対し、変更後の端子Ｂ１ｃでの出力は、ρｓ・（Ｌ６／Ｗ２）の分だけ電圧が降下した出力となる。
【００９５】
このように、故障診断出力におけるオフセット電圧を調整するために、故障診断出力用端子Ｂ１において端子をＢ１ｂからＢ１ａまたはＢ１ｃに変更すれば、例えば、当該オフセット電圧は、ρｓ・（Ｌ５／Ｗ２）またはρｓ・（Ｌ６／Ｗ２）の電圧分変化することとなる。
【００９６】
そして、このように故障診断出力用端子Ｂ１において、端子の変更を行っても、上記と同様、入力端子Ａ−Ｄ間の全抵抗は変わらないため、当該Ａ−Ｄ間に流れる電流値も変化しない。そのため、この故障診断出力用端子Ｂ１における端子変更の影響は、センサ出力用端子Ｂの電位には及ばず、当該Ｂの電位は変化しない。
【００９７】
そのため、故障診断出力端子Ｂ、Ｃの組合せを適宜選択すれば、故障診断出力におけるオフセット電圧を、所望の値に調整でき極力０に近づけることも可能である。
【００９８】
なお、上記の端子の変更は、例えば、あらかじめ検査などを行い、所望のオフセット調整がなされた端子の組合せを選択した後、ワイヤボンディングなどにより、この選択された端子と外部回路を接続するようにすればよい。
【００９９】
なお、上記例では、センサ出力用端子Ｂ、Ｃおよび故障診断出力用端子Ｂ１を３個の端子から構成したが、２個あるいは４個以上であってもよい。ただし、３個以上であれば、端子変更によるオフセット電圧の変化が線形であるか非線形であるかの判別を容易にできる。このことは、オフセット電圧の０点を見出しやすくなる。
【０１００】
また、本実施形態においては、２個の中間端子間の差電圧を故障診断出力として用いることができるが、その２個の中間端子の組合せは、圧力が印加されていない状態において電位が等しくなる組み合わせであれば任意である。
【０１０１】
そこで、図８に示すように、本センサＳ１においては、分割ゲージ抵抗Ｒａ１とＲａ２との間のゲージ配線Ｈ４から引き出された中間端子Ｃ１’と、分割ゲージ抵抗Ｒｃ１とＲｃ２との間のゲージ配線Ｈ７から引き出された中間端子Ｂ１’とを故障診断出力用端子として用いることもできる。
【０１０２】
そして、これら故障診断出力用端子Ｂ１’、Ｃ１’間の差電圧Ｖｏｕｔ２’を故障診断出力として同様に故障検出できることは言うまでもない。また、この故障診断出力用端子Ｂ１’、Ｃ１’において端子Ｂ１’を構成する３個の端子Ｂ１ａ’、Ｂ１ｂ’、Ｂ１ｃ’にて端子変更を行えば、上記同様、故障診断出力におけるオフセット電圧の調整が可能である。
【０１０３】
また、オフセット電圧の調整は、オフセット電圧を０に極力近づけること以外にも、回路側の要望などによっては、オフセット電圧をある程度大きな値に調整して、使用することもある。そのような場合に対しても本実施形態は適用可能である。
【０１０４】
（他の実施形態）
なお、上記実施形態では、故障診断出力Ｂ１、Ｃ１において端子Ｂ１の方のみ、また、故障診断出力Ｂ１’、Ｃ１’において一方の端子Ｂ１’の方のみ複数個の端子からなるものとしていたが、他方の端子Ｃ１、Ｃ１’の方も複数個の端子からなるものにしてよいことはもちろんである。
【０１０５】
また、上記実施形態では、４個のゲージ抵抗Ｒａ〜Ｒｄを、それぞれ２つの分割ゲージ抵抗に分割したが、各ゲージ抵抗Ｒａ〜Ｒｄの分割数は、３個、４個以上でも良い。３個以上の場合でも、複数個の分割ゲージ抵抗における分割された間を結ぶ端子のうち力学量が印加されていない状態において電位が等しい組合せの端子を故障診断出力用端子として、当該端子間における電位差を故障診断出力として用いれば良い。
【０１０６】
また、本発明は、中空筒状の金属ステムの一端側に閉塞された薄肉部を形成し、他端側に開口部を形成し、該薄肉部上に半導体基板を搭載した半導体圧力センサにも適用可能である。このセンサは、金属ステムの開口部から導入される圧力によって薄肉部が歪み、その薄肉部の歪みを受けて半導体基板自体がダイアフラムとして歪むものである。
【０１０７】
また、本発明は、加速度が加わった場合の衝撃によってダイアフラムが歪み、その歪み応力をゲージ抵抗にて検出するようにした加速度センサに対しても適用可能である。
【図面の簡単な説明】
【図１】本発明の実施形態に係る半導体圧力センサを示す概略平面図である。
【図２】図１に示す半導体圧力センサの概略断面図である。
【図３】図１の部分拡大図である。
【図４】図１中の分割ゲージ抵抗の間のゲージ配線付近の拡大図である。
【図５】図１中の分割ゲージ抵抗の間のゲージ配線付近の拡大図である。
【図６】図１中の分割ゲージ抵抗の間のゲージ配線付近の拡大図である。
【図７】図１中の分割ゲージ抵抗の間のゲージ配線付近の拡大図である。
【図８】図１に示すセンサにおけるブリッジ回路を示す等価回路図である。
【図９】本出願人の先願にて提案された半導体力学量センサのブリッジ回路の等価回路図である。
【図１０】図９に示すブリッジ回路において外付け抵抗を設けた構成を示す等価回路図である。
【符号の説明】
１０…半導体基板、１４…ダイアフラム、２０…ブリッジ回路、Ａ…入力端子、Ｂ、Ｃ…センサ出力用端子、Ｄ…入力端子、Ｂ１、Ｃ１…故障診断出力用端子、Ｂａ、Ｂｂ、Ｂｃ、Ｃａ、Ｃｂ、Ｃｃ…センサ出力用端子における複数の端子、Ｂ１ａ、Ｂ１ｂ、Ｂ１ｃ…故障診断出力用端子における複数の端子、Ｒａ、Ｒｂ、Ｒｃ、Ｒｄ…ゲージ抵抗、Ｒａ１、Ｒａ２、Ｒｂ１、Ｒｂ２、Ｒｃ１、Ｒｃ２、Ｒｄ１、Ｒｄ２…分割ゲージ抵抗、Ｖｏｕｔ１…センサ出力に用いられる差電圧、Ｖｏｕｔ２…故障診断出力に用いられる差電圧、Ｈ１〜Ｈ１０…ブリッジ回路における各ゲージ抵抗間の配線。
【図１】
2004061164.tif 000003
【図２】
2004061164.tif 000004
【図３】
2004061164.tif 000005
【図４】
2004061164.tif 000006
【図５】
2004061164.tif 000007
【図６】
2004061164.tif 000008
【図７】
2004061164.tif 000009
【図８】
2004061164.tif 000010
【図９】
2004061164.tif 000011
【図１０】
2004061164.tif 000012